【手続補正書】
【提出日】平成24年9月24日(2012.9.24)
【手続補正１】
【補正対象書類名】明細書
【補正対象項目名】０００９
【補正方法】変更
【補正の内容】
【０００９】
本発明は、所定の波長帯域で発光する光源素子と、上記光源素子の発光を用い、時分割で発光効率の異なる複数色の光源光を発生する光源光発生手段と、上記光源光発生手段で発生する複数色の光源光中、より発光効率の高い少なくとも１色の光源光の発生時間を他の色の光源光の発生時間より短く設定するととともに、当該発生時間を短く設定した色の光源光発生時の上記光源素子の駆動電力を、他の色の光源光発生時の上記光源素子の駆動電力より大きく設定し、上記光源光発生手段で発生する複数色の光源光が循環的に発生するように上記光源素子と上記光源光発生手段の駆動タイミングを制御する光源制御手段とを具備したことを特徴とする。
【手続補正２】
【補正対象書類名】明細書
【補正対象項目名】００１０
【補正方法】変更
【補正の内容】
【００１０】
また、本発明は、第１の波長帯域で発光する第１の光源素子と、上記第１の光源素子の発光を用い、時分割で発光効率の異なる複数色の光源光を発生する光源光発生手段と、上記第１の波長帯域とは異なる第２の波長帯域で発光する第２の光源素子と、上記光源光発生手段で発生する複数色の光源光中、より発光効率の高い少なくとも１色の光源光の発生時間を他の色の光源光の発生時間より短く設定するととともに、当該発生時間を短く設定した色の光源光発生時の上記第１の光源素子の駆動電力を、他の色の光源光発生時の上記第１の光源素子の駆動電力より大きく設定し、上記光源光発生手段で発生する複数色の光源光、及び上記第２の光源素子の発光による光源光が循環的に発生するように上記第１及び第２の光源素子と上記光源光発生手段の駆動タイミングを制御する光源制御手段とを具備したことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】特許請求の範囲
【補正対象項目名】全文
【補正方法】変更
【補正の内容】
【特許請求の範囲】
【請求項１】
所定の波長帯域で発光する光源素子と、
上記光源素子の発光を用い、時分割で発光効率の異なる複数色の光源光を発生する光源光発生手段と、
上記光源光発生手段で発生する複数色の光源光中、より発光効率の高い少なくとも１色の光源光の発生時間を他の色の光源光の発生時間より短く設定するととともに、当該発生時間を短く設定した色の光源光発生時の上記光源素子の駆動電力を、他の色の光源光発生時の上記光源素子の駆動電力より大きく設定し、上記光源光発生手段で発生する複数色の光源光が循環的に発生するように上記光源素子と上記光源光発生手段の駆動タイミングを制御する光源制御手段と
を具備したことを特徴とする光源装置。
【請求項２】
上記第１の光源素子と上記光源光発生手段との間に配置され、上記光源素子から照射される光を透過し、上記光源光発生手段により発生する複数色の光源光を反射するダイクロイックミラーを具備することを特徴する請求項１記載の光源装置。
【請求項３】
第１の波長帯域で発光する第１の光源素子と、
上記第１の光源素子の発光を用い、時分割で発光効率の異なる複数色の光源光を発生する光源光発生手段と、
上記第１の波長帯域とは異なる第２の波長帯域で発光する第２の光源素子と、
上記光源光発生手段で発生する複数色の光源光中、より発光効率の高い少なくとも１色の光源光の発生時間を他の色の光源光の発生時間より短く設定するととともに、当該発生時間を短く設定した色の光源光発生時の上記第１の光源素子の駆動電力を、他の色の光源光発生時の上記第１の光源素子の駆動電力より大きく設定し、上記光源光発生手段で発生する複数色の光源光、及び上記第２の光源素子の発光による光源光が循環的に発生するように上記第１及び第２の光源素子と上記光源光発生手段の駆動タイミングを制御する光源制御手段と
を具備したことを特徴とする光源装置。
【請求項４】
上記光源光発生手段は、所定の波長帯域光を発光する蛍光体が塗布された領域と、上記光源素子からの光を拡散透過する拡散領域を備えた回転駆動可能なカラーホイールであることを特徴とする請求項１乃至３何れか記載の光源装置。
【請求項５】
所定の波長帯域で発光する光源素子と、
上記光源素子の発光を用い、時分割で発光効率の異なる複数色の光源光を発生する光源光発生手段と、
上記光源光発生手段で発生する複数色の光源光中、より発光効率の高い少なくとも１色の光源光の発生時間を他の色の光源光の発生時間より短く設定するとともに、当該発生時間を短く設定した色の光源光発生時の上記光源素子の駆動電力を、他の色の光源光発生時の上記光源素子の駆動電力より大きく設定し、上記光源光発生手段で発生する複数色の光源光が循環的に発生するように上記光源素子と上記光源光発生手段の駆動タイミングを制御する光源制御手段と、
画像信号を入力する入力手段と、
上記光源制御手段での制御に基づいて出射される光源光を用い、上記入力手段で入力する画像信号に対応したカラーの光像を形成して投影する投影手段と
を具備したことを特徴とする投影装置。
【請求項６】
上記光源素子と上記光源光発生手段との間に配置され、上記光源素子から照射される光を透過し、上記光源光発生手段により発生する複数色の光源光を反射するダイクロイックミラーを具備することを特徴する請求項５記載の投影装置。
【請求項７】
上記光源素子は、青色の波長帯域光を発するとともに、
上記光源光発生手段は、赤色及び緑色の波長帯域光を発光する蛍光体が塗布された領域
と、上記光源素子からの光を拡散透過する拡散領域を備えた回転駆動可能なカラーホイールである
ことを特徴とする請求項５または６記載の投影装置。
【請求項８】
第１の波長帯域で発光する第１の光源素子と、
上記第１の光源素子の発光を用い、時分割で発光効率の異なる複数色の光源光を発生する光源光発生手段と、
上記第１の波長帯域とは異なる第２の波長帯域で発光する第２の光源素子と、
上記光源光発生手段で発生する複数色の光源光中、より発光効率の高い少なくとも１色の光源光の発生時間を他の色の光源光の発生時間より短く設定するととともに、当該発生時間を短く設定した色の光源光発生時の上記第１の光源素子の駆動電力を、他の色の光源光発生時の上記第１の光源素子の駆動電力より大きく設定し、上記光源光発生手段で発生する複数色の光源光、及び上記第２の光源素子の発光による光源光が循環的に発生するように上記第１及び第２の光源素子と上記光源光発生手段の駆動タイミングを制御する光源制御手段と、
画像信号を入力する入力手段と、
上記光源制御手段での制御に基づいて出射される光源光を用い、上記入力手段で入力する画像信号に対応したカラーの光像を形成して投影する投影手段と
を具備したことを特徴とする投影装置。
【請求項９】
上記第１の光源素子は、青色の波長帯域光を発し、
上記第２の光源素子は、赤色の波長帯域光を発し、
上記光源光発生手段は、緑色の波長帯域光を発光する蛍光体が塗布された領域と、上記光源素子からの光を拡散透過する拡散領域を備えた回転駆動可能なカラーホイールであることを特徴とする請求項８記載の投影装置。
【請求項１０】
上記光源光発生手段は、循環周期中で発生時間を短く設定した色の光源光を他の色の光源光より先に発生させることを特徴とする請求項８記載の投影装置。
【請求項１１】
上記光源制御手段は、所定の期間である１周期内において、上記発光効率の高い少なくとも１色の光源光の発生時間を他の色の光源光の発生時間より短く設定するととともに、当該発生時間を短く設定した色の光源光発生時の上記光源素子の駆動電力を、他の色の光源光発生時の上記光源素子の駆動電力より大きく設定することを特徴とする請求項４または８記載の投影装置。
【請求項１２】
上記光源制御手段は、上記発光効率の高い少なくとも１色の光源光の発生時間を短く設定した分、上記他の色の光源光の発生時間を長くするとともに、当該発生時間を短く設定した色の光源光発生時の上記光源素子の駆動電力を大きく設定した分、上記他の色の光源光発生時の上記光源素子の駆動電力を小さく設定し、当該設定の前後で所定のホワイトバランスを維持することを特徴とする請求項１１記載の投影装置。
【請求項１３】
所定の波長帯域で発光する光源素子、上記光源素子の発光を用い、時分割で発光効率の異なる複数色の光源光を発生する光源光発生部、画像信号を入力する入力部、及び光源光を用い、上記入力部で入力する画像信号に対応したカラーの光像を形成して投影する投影部を備えた投影装置での投影方法であって、
上記光源光発生部で発生する複数色の光源光中、より発光効率の高い少なくとも１色の光源光の発生時間を他の色の光源光の発生時間より短く設定するととともに、当該発生時間を短く設定した色の光源光発生時の上記光源素子の駆動電力を、他の色の光源光発生時の上記光源素子の駆動電力より大きく設定し、上記光源光発生部で発生する複数色の光源光が循環的に発生するように上記光源素子と上記光源光発生部の駆動タイミングを制御する光源制御工程を有したことを特徴とする投影方法。
【請求項１４】
第１の波長帯域で発光する第１の光源素子、上記第１の光源素子の発光を用い、時分割で発光効率の異なる複数色の光源光を発生する光源光発生部、上記第１の波長帯域とは異なる第２の波長帯域で発光する第２の光源素子、画像信号を入力する入力部、及び光源光を用い、上記入力部で入力する画像信号に対応したカラーの光像を形成して投影する投影部を備えた投影装置での投影方法であって、
上記光源光発生部で発生する複数色の光源光中、より発光効率の高い少なくとも１色の光源光の発生時間を他の色の光源光の発生時間より短く設定するととともに、当該発生時間を短く設定した色の光源光発生時の上記第１の光源素子の駆動電力を、他の色の光源光発生時の上記第１の光源素子の駆動電力より大きく設定し、上記光源光発生部で発生する複数色の光源光、及び上記第２の光源素子の発光による光源光が循環的に発生するように上記第１及び第２の光源素子と上記光源光発生部の駆動タイミングを制御する光源制御工程を有したことを特徴とする投影方法。
【手続補正１４】
【補正対象書類名】図面
【補正対象項目名】図８
【補正方法】変更
【補正の内容】
【図８】
2011070127.tif 000001